【事件の表示】
　特許第２７５０９７３号「インクジェット記録用シート」の請求項１に係る特許に対する特許異議の申立てについて、次のとおり決定する。
【結　論】
　訂正を認める。
　特許第２７５０９７３号の請求項１に係る特許を維持する。
【理　由】
Ｉ．手続の経緯
　本件特許２７５０９７３号は、平成３年１２月９日に出願され、平成１０年２月２７日にその特許の設定登録がなされ、その後、三菱製紙株式会社より特許異議の申立てがなされ、取消理由通知がなされ、その指定期間内である平成１３年１月１９日付で訂正請求がなされ、さらに取消理由通知がなされ、その指定期間内である平成１３年４月１８日付で新たな訂正請求がなされるとともに、平成１３年１月１９日付の訂正請求が取り下げられたものである。
II．訂正の適否
１．訂正事項
〔訂正事項ａ〕
　特許請求の範囲の、
「【請求項１】支持体の少なくとも一方の面に記録層を設けてなるインクジェット記録用シートであって、前記記録層が、リン酸水素塩、カルボン酸のアルカリ金属塩、カルボン酸以外の酸性水素原子を有する有機化合物のアルカリ金属塩からなる群の中から選択される、ｐＫａが２．０〜７．５の範囲にある酸とアルカリ金属とから生じるアルカリ金属塩を０．０１〜５．０ｇ／ｍ２　含有することを特徴とするインクジェット記録用シート。」との記載を、
「【請求項１】支持体の少なくとも一方の面に記録層を設けてなるインクジェット記録用シートであって、前記記録層が、リン酸水素アルカリ金属塩、乳酸のアルカリ金属塩、カルボン酸以外の酸性水素原子を有する有機化合物のアルカリ金属塩からなる群の中から選択されるアルカリ金属塩であって、ｐＫａが２．０〜７．５の範囲にある酸とアルカリ金属とから生じるアルカリ金属塩を０．０１〜５．０ｇ／ｍ２　含有することを特徴とするインクジェット記録用シート。」と訂正する。
〔訂正事項ｂ〕
　明細書段落【００１０】の、
「リン酸水素塩、カルボン酸のアルカリ金属塩、カルボン酸以外の酸性水素原子を有する有機化合物のアルカリ金属塩からなる群の中から選択される、」との記載を、
「リン酸水素アルカリ金属塩、乳酸のアルカリ金属塩、カルボン酸以外の酸性水素原子を有する有機化合物のアルカリ金属塩からなる群の中から選択されるアルカリ金属塩であって、」と訂正する。
〔訂正事項ｃ〕
　明細書段落【００１１】の、
「リン酸水素塩、カルボン酸のアルカリ金属塩、」との記載を、
「リン酸水素アルカリ金属塩、乳酸のアルカリ金属塩、」と訂正する。
〔訂正事項ｄ〕
　明細書段落【００１２】の、
「リン酸水素塩としては、例えばリン酸水素二ナトリウム、リン酸二水素ナトリウム等；カルボン酸のアルカリ金属塩としては、酢酸ナトリウム、フタル酸ナトリウム、フタル酸水素カリウム、乳酸ナトリウム等；」との記載を、「リン酸水素アルカリ金属塩としては、リン酸水素二ナトリウム、リン酸二水素ナトリウム等；乳酸のアルカリ金属塩としては乳酸ナトリウム等；」と訂正する。
〔訂正事項ｅ〕
　明細書段落【００１３】の、
「リン酸水素塩及び乳酸塩」との記載を、
「リン酸水素アルカリ金属塩及び乳酸のアルカリ金属塩」と訂正する。
〔訂正事項ｆ〕
　明細書段落【００２７】、【００２８】、【００２９】を削除する。
〔訂正事項ｇ〕
　明細書段落【００３０】の、
「比較例２」、「実施例２」との記載を、それぞれ
「比較例１」、「実施例１」と訂正する。
〔訂正事項ｈ〕
　明細書段落【００３１】の、
「比較例３」、「実施例３」との記載を、それぞれ
「比較例２」、「実施例２」と訂正する。
〔訂正事項ｉ〕
　明細書段落【００３２】の、
「比較例４．乳酸ナトリウムを使用しない他は、実施例４と全く同様にして記録用シートを得た。得られた記録用シートを用いて前記試験を行った。結果は表１に示した通りである。
」との記載を、
「
」と訂正する。
２．訂正の目的の適否、新規事項追加の有無、及び特許請求の範囲の実質上の拡張又は変更の存否
　訂正事項ａは、訂正前の請求項１における「カルボン酸のアルカリ金属塩」を「乳酸のアルカリ金属塩」に特定し、あわせて「リン酸水素塩」が「リン酸水素アルカリ金属塩」であること、「リン酸水素アルカリ金属塩、乳酸のアルカリ金属塩、カルボン酸以外の酸性水素原子を有する有機化合物のアルカリ金属塩からなる群の中から選択される」ものが「アルカリ金属塩」であることを明確にするものであり、特許請求の範囲の減縮並びに明瞭でない記載の釈明を目的とする訂正に該当する。またこの訂正は、願書に添付された明細書の段落【００１１】乃至【００１３】の記載により支持されているから、願書に添付した明細書又は図面に記載された事項の範囲内の訂正であり、実質上特許請求の範囲を拡張し又は変更するものではない。
　訂正事項ｂ〜ｅは、訂正事項ａによって訂正された特許請求の範囲請求項１に係る発明の構成に発明の詳細な説明に記載された事項を整合させるための訂正であり、また、訂正事項ｆ〜ｉは、取消理由通知において指摘した明細書中の不明瞭な記載部分を削除あるいは訂正するものであるから、いずれも明瞭でない記載の釈明を目的とする訂正に該当する。またこれらの訂正は、願書に添付した明細書又は図面に記載された事項の範囲内の訂正であり、実質上特許請求の範囲を拡張し又は変更するものではない。
３．独立特許要件の検討
（１）取消理由の概要
　当審で通知した平成１２年１１月９日付取消理由の趣旨は、訂正前の本件請求項１に係る発明は、その出願前に頒布されたことが明らかな刊行物１（特開昭６１−４７２９０号公報）に記載された発明であり（理由１）、また、上記刊行物１と、同じくその出願前に頒布されたことが明らかな刊行物２（岩波「理化学辞典第４版」、１９８７年１０月１２日、株式会社岩波書店発行、第５７３頁「弱酸」の項参照）に記載された発明及び技術的事項に基づいて当業者が容易に発明し得たものであり（理由２）、本件請求項１に係る特許は、特許法第２９条第１項第３号あるいは同法第２９条第２項の規定に違反してされたものであるから、さらに、本件出願は明細書の記載が不備であるため特許法第３６条第４項、第５項及び第６項に規定する要件を満たしていない（理由３）から、その特許を取り消すというものである。
　当審で通知した平成１３年４月１１日付取消理由の趣旨は、本件出願は明細書の記載がさらに不備であるため特許法第３６条第５項及び第６項に規定する要件を満たしておらず（理由４）、その特許を取り消すというものである。
（２）訂正後の本件発明
　訂正後の本件請求項１に係る発明は、以下のとおりである。
「【請求項１】支持体の少なくとも一方の面に記録層を設けてなるインクジェット記録用シートであって、前記記録層が、リン酸水素アルカリ金属塩、乳酸のアルカリ金属塩、カルボン酸以外の酸性水素原子を有する有機化合物のアルカリ金属塩からなる群の中から選択されるアルカリ金属塩であって、ｐＫａが２．０〜７．５の範囲にある酸とアルカリ金属とから生じるアルカリ金属塩を０．０１〜５．０ｇ／ｍ２　含有することを特徴とするインクジェット記録用シート。」
（３）刊行物の記載
　上記刊行物１には、以下の事項が記載されている。
（イ）「（１）水溶性染料を含有する水性インクを用いて記録画像を形成するインクジェット記録媒体に於いて、該記録媒体がアルカリ金属塩の弱酸塩及び／又はその複塩を含有することを特徴とするインクジェット記録媒体。」（特許請求の範囲第１項）
（ロ）発明の目的について、「本発明は、インクジェット用水性インクを記録媒体に噴射して記録画像を形成するインクジェット記録媒体に於いて、水性インク画像の耐水性及び耐光性を改善し、前述したような高速、高精細で保存性の優れた記録媒体を提供することにある。」（公報第２頁右下欄第５〜９行）
（ハ）発明の作用について、「本発明により、アルカリ金属の弱酸塩及び／又はその複塩を含有することによって水溶性インク中に含まれる染料の耐光性が向上するが、なぜそうなるのか、その理由は定かではない。」（公報第２頁右下欄第１７〜２０行）
（ニ）アルカリ金属の弱酸塩及び／又はその複塩について、「本発明でいうアルカリ金属の弱酸塩及び／又はその複塩とは、リチウム、ナトリウム、カリウム、ルビジウム等の炭酸塩、シュウ酸塩、酢酸塩、ケイ酸塩及びこれらの複塩等を指すが、・・・これらの塩の使用量は、その塩によって異なるものの概ね、０．０１〜２０ｇ／ｍ２　、好ましくは０．０２〜１０ｇ／ｍ２　である。」（公報第３頁左上欄第８〜１７行）
（ホ）実施例１として、「実施例１・・・酸性コート原紙を製造した。この原紙のステキヒトサイズ度は３３秒であった。塗工液として、多孔性無機顔料の合成シリカ（サイロイド６２０、富士デヴィソン社製）１００部、水溶性樹脂のポリビニルアルコール（ＰＶＡ１１７、クラレ社製）９０部、カチオン性樹脂のポリフィックス６０１（昭和高分子社製）１０部、炭酸カリウム（Ｋ２ＣＯ３）１０部、その他消泡剤、蛍光剤少量から成る濃度１６％の水性塗工液を作り、エアナイフコーターで前記酸性原紙に固形分９ｇ／ｍ２　になるように塗抹、乾燥した。」（第６頁右上欄第１４行〜左下欄第１２行）
（ヘ）実施例３として、「実施例３　　実施例１の塗工液中の炭酸カリウムをシュウ酸カリウムと置換えた他は実施例１と全く同様にして実施例３の記録用紙を得た。この記録用紙のベック平滑度は１１２秒であった。この記録用紙についてインクジェット適性を評価した結果を表１に示す。」（第６頁右下欄第９〜１５行）
　上記刊行物２には、以下の事項が記載されている。
（ト）「弱酸［ｗｅａｋ　ａｃｉｄ］酸性の程度が小さい酸．[１]ブレーンステズ酸としては電離定数が小さい(Ｋ＜１０−３)もので，多くの有機酸，ホウ酸，ケイ酸など多価の無機酸に弱酸が多い．」（第５７３頁右欄第２１〜２４行）
（４）対比・判断
（理由１について）
　本件請求項１に係る発明（以下、「本件発明」という。）と刊行物１に記載された発明とを対比すると、刊行物１記載の発明の記録媒体が、原紙（支持体）と塗工層（記録層）からなるものであることは上記記載（ホ）から明らかであるから、両者は、「支持体上の少なくとも一方の面に記録層を設けてなるインクジェット記録用シート」である点で一致し、本件発明が、「リン酸水素アルカリ金属塩、乳酸のアルカリ金属塩、カルボン酸以外の酸性水素原子を有する有機化合物のアルカリ金属塩からなる群の中から選択されるアルカリ金属塩であって、ｐＫａが２．０〜７．５の範囲にある酸とアルカリ金属とから生じるアルカリ金属塩を０．０１〜５．０ｇ／ｍ２　含有する」としているのに対し、刊行物１記載の発明が、「アルカリ金属の弱酸塩及び／又はその複塩を含有する」としている点で構成上相違している。
　上記の構成上の相違点について検討するに、刊行物１記載の発明における「アルカリ金属の弱酸塩及び／又はその複塩」について刊行物１には、「アルカリ金属塩の弱酸塩及び／又はその複塩とはリチウム、ナトリウム、カリウム、ルビジウム等の炭酸塩、シュウ酸塩、酢酸塩、ケイ酸塩及びその複塩であり、」と記載されている（上記記載（ニ）参照）のみで、リン酸水素アルカリ金属塩、乳酸のアルカリ金属塩、カルボン酸以外の酸性水素原子を有する有機化合物のアルカリ金属塩については何も記載されていない。また他に、刊行物１記載の発明における「アルカリ金属の弱酸塩及び／又はその複塩」として、リン酸水素アルカリ金属塩、乳酸のアルカリ金属塩、カルボン酸以外の酸性水素原子を有する有機化合物のアルカリ金属塩を用いることができる旨の記載、あるいはこれらのアルカリ金属塩が上記の炭酸塩、シュウ酸塩、酢酸塩、ケイ酸塩及びその複塩等と同等の作用があることを示唆するような記載もない。したがって、本件発明と刊行物１記載の発明とは、ｐＫａの値や含有量について吟味するまでもなく、用いられるアルカリ金属塩の種類において明確に異なるものである。
　よって、本件発明は刊行物１に記載された発明ではない。
（理由２について）
　本件発明と上記刊行物１に記載された発明とを対比すると、上記（理由１について）の項において述べたように、両者は、「支持体上の少なくとも一方の面に記録層を設けてなるインクジェット記録用シート」である点で一致し、本件発明が、「リン酸水素アルカリ金属塩、乳酸のアルカリ金属塩、カルボン酸以外の酸性水素原子を有する有機化合物のアルカリ金属塩からなる群の中から選択される、ｐＫａが２．０〜７．５の範囲にある酸とアルカリ金属とから生じるアルカリ金属塩を０．０１〜５．０ｇ／ｍ２　含有する」としているのに対し、刊行物１記載の発明が、「アルカリ金属の弱酸塩及び／又はその複塩を含有する」としている点で相違している。
　上記相違点について検討するに、本件発明において記録層に特定のアルカリ金属塩を特定量含有させるのは、印字濃度が高くインクの発色性が良好であると共に、高解像度の印字ができるインクジェット記録用シートを提供するためであり（本件特許公報段落【０００９】参照）、その作用機構は明確ではないが、アルカリ金属塩を記録層中に含有せしめることにより印字濃度及びインク発色性等が改善されるとしている（本件特許公報段落【００１３】参照）。これに対して、刊行物１記載の発明において、アルカリ金属の弱酸塩及び／又はその複塩を記録媒体に含有させるのは水性インク画像の耐水性及び耐光性を改善させるためであって（上記記載（ロ）（ハ）参照）、印字濃度やインク発色性等との関連性については認識されていない。したがって、刊行物１記載の発明における「アルカリ金属の弱酸塩及び／又はその複塩」に、「リン酸水素アルカリ金属塩、乳酸のアルカリ金属塩、カルボン酸以外の酸性水素原子を有する有機化合物のアルカリ金属塩からなる群の中から選択される、ｐＫａが２．０〜７．５の範囲にある酸とアルカリ金属とから生じるアルカリ金属塩」が広い意味で包含されるとしても、「アルカリ金属の弱酸塩及び／又はその複塩」として挙げられる無数の化合物の中から特に「リン酸水素アルカリ金属塩、乳酸のアルカリ金属塩、カルボン酸以外の酸性水素原子を有する有機化合物のアルカリ金属塩からなる群の中から選択される、ｐＫａが２．０〜７．５の範囲にある酸とアルカリ金属とから生じるアルカリ金属塩」を選択する理由が存在しない。また、刊行物２には弱酸についての一般的概念と、ホウ酸、ケイ酸が開示されているのみであり、これを参照したとしても、上記の相違点を導き出すことはできない。
　そして、本件発明は、上記相違点にあげられた構成を採用することにより、印字濃度が高い上インクの発色性が良好であるので、従来よりも高品位の印字画像を得ることができるという明細書記載の効果を奏するものである。
　したがって、本件発明は、上記刊行物１及び刊行物２に記載された発明に基づいて当業者が容易に発明をすることができたものとは認められない。
（理由３及び理由４について）
　明細書の記載不備の理由は、具体的には明細書における不明瞭な記載に係るものであるが、本件明細書が上記のように訂正された結果、明細書の記載不備はすべて解消された。
４．むすび
　以上のとおりであるから、本件訂正は、特許法等の一部を改正する法律（平成６年法律第１１６号）附則第６条第１項の規定によりなお従前の例によりとされる、平成１１年改正前の特許法第１２０条の４第３項で準用する平成６年法律第１１６号による改正前の特許法第１２６条第１項ただし書、第２項及び第３項の規定に適合するので、当該訂正を認める。
III．特許異議申立について
１．本件発明
　本件請求項１に係る発明は、訂正後の特許請求の範囲の請求項１に記載されたとおりのものである（上記II．３．（２）の項参照）。
２．特許異議申立の理由の概要
　特許異議申立人は、本件出願前に公開された特開昭６１−４７２９０号公報（甲第１号証）及び、岩波「理化学辞典第４版」（１９８７年１０月１２日、株式会社岩波書店発行、第５７３頁）（甲第２号証）を提出して、訂正前の本件請求項１に係る発明は甲第１号証に記載された発明であるか、あるいは甲第１号証に記載された発明に基づいて当業者が容易に発明をすることができたものであるから、特許法第２９条第１項第３号あるいは同法第２９条第２項に規定により特許を受けることができないものであり、したがって訂正前の本件請求項１に係る特許は、特許法第１１３号第２号の規定により取り消すべきものであると主張している。
３．判断
　特許異議申立人が訂正前の本件請求項１に係る発明について、特許法第２９条第１項第３号違反あるいは特許法第２９条第２項違反であるとして提出した甲第１号証及び甲第２号証は、上記「II．３．独立特許要件の検討　（１）取消理由の概要」欄における刊行物１及び刊行物２とそれぞれ同じものであり、また異議申立人の上記主張も、同欄の（理由１）及び（理由２）と同じである。
　したがって、本件請求項１に係る発明は、上記「II．３．独立特許要件の検討　（４）対比・判断」欄の（理由１について）及び（理由２について）の項において判断した理由と全く同じ理由により、甲第１号証に記載された発明、あるいは甲第１号証及び甲第２号証に記載された発明から当業者が容易に想到し得る発明であるとすることはできないから、本件請求項１に係る発明は、特許法第２９条第１項第３号あるいは特許法第２９条第２項に規定する発明には該当しない。
IV．むすび
  以上のとおりであるから、特許異議の申立ての理由によっては本件請求項１に係る発明の特許を取り消すことはできない。
　また、他に本件請求項１の発明についての特許を取り消すべき理由を発見しない。
　したがって、本件請求項１の発明に係る特許は、拒絶の査定をしなければならない特許出願に対して付与されたものと認めないから、特許法の一部を改正する法律（平成６年法律第１１６号）附則第１４条の規定に基づく、特許法の一部を改正する法律の一部の施行に伴う経過措置を定める政令（平成７年政令第２０５号）第４条第２項の規定により、上記のとおり決定する。
【異議決定日】
平成１３年５月１０日（２００１．５．１０）
【訂正の要旨】
訂正の要旨［特許第２７５０９７３号］
　特許第２７５０９７３号発明の明細書を、下記のとおり訂正する。
１．特許請求の範囲の、
「【請求項１】支持体の少なくとも一方の面に記録層を設けてなるインクジェット記録用シートであって、前記記録層が、リン酸水素塩、カルボン酸のアルカリ金属塩、カルボン酸以外の酸性水素原子を有する有機化合物のアルカリ金属塩からなる群の中から選択される、ｐＫａが２．０〜７．５の範囲にある酸とアルカリ金属とから生じるアルカリ金属塩を０．０１〜５．０ｇ／ｍ２含有することを特徴とするインクジェット記録用シート。」との記載を、特許請求の範囲の減縮並びに明瞭でない記載の釈明を目的として、
「【請求項１】支持体の少なくとも一方の面に記録層を設けてなるインクジェット記録用シートであって、前記記録層が、リン酸水素アルカリ金属塩、乳酸のアルカリ金属塩、カルボン酸以外の酸性水素原子を有する有機化合物のアルカリ金属塩からなる群の中から選択されるアルカリ金属塩であって、ｐＫａが２．０〜７．５の範囲にある酸とアルカリ金属とから生じるアルカリ金属塩を０．０１〜５．０ｇ／ｍ２含有することを特徴とするインクジェット記録用シート。」と訂正する。
２．明細書段落【００１０】の、
「リン酸水素塩、カルボン酸のアルカリ金属塩、カルボン酸以外の酸性水素原子を有する有機化合物のアルカリ金属塩からなる群の中から選択される、」との記載を、明瞭でない記載の釈明を目的として、
「リン酸水素アルカリ金属塩、乳酸のアルカリ金属塩、カルボン酸以外の酸性水素原子を有する有機化合物のアルカリ金属塩からなる群の中から選択されるアルカリ金属塩であって」と訂正する。
３．明細書段落【００１１】の、
「リン酸水素塩、カルボン酸のアルカリ金属塩、」との記載を、明瞭でない記載の釈明を目的として、
「リン酸水素アルカリ金属塩、乳酸のアルカリ金属塩、」と訂正する。
４．明細書段落【００１２】の、
「リン酸水素塩としては、例えばリン酸水素二ナトリウム、リン酸二水素ナトリウム等；カルボン酸のアルカリ金属塩としては、酢酸ナトリウム、フタル酸ナトリウム、フタル酸水素カリウム、乳酸ナトリウム等；」との記載を、明瞭でない記載の釈明を目的として、
「リン酸水素アルカリ金属塩としては、例えばリン酸水素二ナトリウム、リン酸二水素ナトリウム等；乳酸のアルカリ金属塩としては乳酸ナトリウム等；」と訂正する。
５．明細書段落【００１３】の、
「リン酸水素塩及び乳酸塩」との記載を、明瞭でない記載の釈明を目的として、
「リン酸水素アルカリ金属塩及び乳酸のアルカリ金属塩」と訂正する。
６．明細書段落【００２７】、【００２８】、【００２９】を、明瞭でない記載の釈明を目的として、削除する。
７．明細書段落【００３０】の、
「比較例２」、「実施例２」との記載を、明瞭でない記載の釈明を目的として、それぞれ
「比較例１」、「実施例１」と訂正する。
８．明細書段落【００３１】の、
「比較例３」、「実施例３」との記載を、明瞭でない記載の釈明を目的として、それぞれ
「比較例２」、「実施例２」と訂正する。
９．明細書段落【００３２】の、
「比較例４．乳酸ナトリウムを使用しない他は、実施例４と全く同様にして記録用シートを得た。得られた記録用シートを用いて前記試験を行った。結果は表１に示した通りである。
　【表１】
」との記載を、明瞭でない記載の釈明を目的として、
「【表１】
」と訂正する。
（５４）【発明の名称】
インクジェット記録用シート
（５７）【特許請求の範囲】
　【請求項１】支持体の少なくとも一方の面に記録層を設けてなるインクジェット記録用シートであって、前記記録層が、リン酸水素
アルカリ金属
乳酸
アルカリ金属塩であって
　【請求項２】前記アルカリ金属塩がリン酸二水素ナトリウムである請求項１に記載のインクジェット記録用シート。
　【請求項３】前記アルカリ金属塩がリン酸水素二ナトリウムである請求項１に記載のインクジェット記録用シート。
　【請求項４】前記アルカリ金属塩が乳酸ナトリウムである請求項１に記載のインクジェット記録用シート。
【発明の詳細な説明】
　【０００１】
　【産業上の利用分野】
　本発明はインクジェット記録用シートに関し、特に品位の良い印字を記録することのできるインクジェット記録用シートに関する。
　【０００２】
　【従来の技術】
　インクジェット記録方式は、種々の機構によりインクの小滴を吐出し、記録用シート上に付着させることによりドットを形成し印字記録を行うものである。従って、ドットインパクトタイプの記録方式に比べて騒音が少なく、またフルカラー化が容易であり、高速印字が可能である等の利点がある。
　一方、インクジェット記録に使用されるインクは、通常直接染料や酸性染料などを用いた水性インクであるために乾燥性が悪いという欠点があった。
　【０００３】
　従って、このようなインクジェット記録方式に用いられるインクジェット記録用シートには、ドットを形成させる際に
　▲１▼記録用紙に付着したインクの乾燥速度が速いこと、
　▲２▼印字濃度が高いこと及び
　▲３▼ドットの広がり（にじみ）が小さいと共にドットの周縁部がシャープであること
等の諸特性が要求される。
　【０００４】
　上記▲１▼の問題点を改善するために、従来、支持体の表面に比表面積の大きなシリカ等を含有する記録層を設け、また支持体が紙の場合には比表面積の大きなシリカ等の顔料を内添し、支持体のインク吸収量を大きくすることによりシート表面に付着したインクの乾燥速度を増大させることが行われていた。この場合、乾燥速度を増大させるためにシリカ等の含有量を増加させると、印字濃度が低下し、また支持体が紙等である場合にはドットが広がり過ぎて印字の品位が悪くなるという欠点があった。
　【０００５】
　このような欠点を改善するために、記録層や紙の中の空隙量をコントロールすることも提案されているが（特公昭６２−５５９９６号、特公昭６３−２２９９７号）、未だ十分満足できるものではない。
　また、最近のインクジェットプリンターの進歩及びニーズの多様化に伴い、より高解像度の印字記録を得たいというニーズが高まっている。しかしながら、従来のインクジェット記録用シートは、ドットの広がりやドット周縁部のシャープネスにおいて高解像度の印字記録に要求される許容範囲を越えるために、上記のニーズに応えることができなかった。
　【０００６】
　このようなニーズに対して、普通紙タイプの記録用紙の場合には、従来の表面サイズ剤を、例えばポリビニルアルコールやカルボキシメチルセルロース等の樹脂と合成高分子から成る表面サイズ剤等に変更することにより応じてきた。この場合、上記表面サイズ剤の添加量を少なくすると印字濃度が低下する上にじみが増加し、逆に増加するとインク乾燥性が低下するために、上記ニーズに十分応えることができないという欠点があった。
　【０００７】
　一方、塗工紙タイプの場合では、シリカ等の多孔質の顔料と樹脂との配合比を変更することにより前記ニーズに対応してきた。この場合、顔料／樹脂の比を大きくすると、にじみが改善される一方で印字濃度が低下し、また、前記比を逆に小さくすると、印字濃度は向上するもののにじみが増加するために、前記ニーズに十分応えることができないという欠点があった。
　【０００８】
　更に、通常の普通紙タイプの酸性紙を用い、フルカラーインクジェットプリンターによって印字した場合には、付着したインクの発色性が変化することがあり、インクの発色性が悪かったり、原色を十分に再現することができないことがあるという欠点があった。また、原紙の填料として炭酸カルシウムを用いたいわゆる中性紙を使用した場合には、原因は明らかではないが該填料が有する光学的特性により、印字濃度の低下や印字の不均質が生じ易いという欠点があった。更に、塗工紙を用いた場合には、通常、塗工層が弱酸性であるために、前記酸性紙の場合と同様に原色を十分再現することができないという欠点があった。
　【０００９】
　【発明が解決しようとする課題】
　本発明者等は、上記の欠点を解決すべく、鋭意検討した結果、記録層に特定のアルカリ金属塩を特定量含有させることにより良好な結果が得られるということを見出し本発明に到達した。従って、本発明の目的は、印字濃度が高い上インクの発色性が良好であると共に、高解像度の印字を記録することのできる、インクジェット記録用シートを提供することにある。
　【００１０】
　【課題を解決するための手段】
　本発明の上記の目的は、支持体の少なくとも一方の面に記録層を設けてなるインクジェット記録用シートであって、前記記録層が、リン酸水素
アルカリ金属
乳酸
アルカリ金属塩であって
　【００１１】
　本発明で使用するアルカリ金属塩は、２５℃におけるｐＫａが２．０〜７．５の範囲にある酸のアルカリ金属塩である、リン酸水素
アルカリ金属
乳酸
　ここで、ｐＫａとは−ｌｏｇ１０Ｋａであり、Ｋａは酸解離定数を示す。
　【００１２】
　リン酸水素
アルカリ金属
乳酸
　【００１３】
　これらの中でもリン酸水素
アルカリ金属
　【００１４】
　ｐＫａが２．０以下の酸のアルカリ金属塩を用いても上記効果が得られず、又、ｐＫａが７．５以上の酸のアルカリ金属塩を用いた場合には、後記する顔料等を含有する塗工液の安定性が悪くなるので好ましくない。使用する塗工液中のアルカリ金属塩の濃度は、用いるアルカリ金属塩の種類によっても異なるが、０．１〜１０．０重量％の範囲が好ましい。この場合、水溶液のｐＨは、５．０〜９．０の程度となる。
　【００１５】
　本発明において、アルカリ金属塩の塗工量は、０．０１〜５．０ｇ／ｍ２とすることが好ましいが、特に０．０５〜２．０ｇ／ｍ２とすることが好ましい。本発明においては、前記アルカリ金属塩の水溶液に、インク記録層の塗工に通常用いられるでんぷん、ポリビニルアルコール、カルボキシメチルセルロース等の高分子、微粉シリカ、ホワイトカーボン、シリカゲル等の顔料を添加して記録層の塗液とすることができる。塗液には更に表面サイズ剤、分散剤、消泡剤、染料、カチオン性高分子電解質及び流動変性剤等も適宜必要に応じて添加することができる。
　【００１６】
　本発明のインクジェット記録用シートは、支持体上に、上記塗液を公知の方法で塗布することによって容易に得ることができる。塗工方法は、サイズプレスコート、エアーナイフコート、ロールコート、バーコート及びグラビアコート等の公知の塗工方法の中から適宜選択して使用することができる。
　本発明で使用する支持体は特に限定されるものではなく、通常の上質紙、中質紙等の紙類、ポリエステル、ポリエチレン等の高分子フィルム類の中から適宜選択して用いることができる。
　【００１７】
　【発明の効果】
　以上詳述した如く、本発明のインクジェット記録用シートは、印字濃度が高い上インクの発色性が良好であるので、従来よりも高品位の印字画像を得ることができる。
　【００１８】
　【実施例】
　以下、本発明を実施例によって更に詳しく説明するが、本発明はこれによって限定されるものではない。尚、実施例及び比較例で行った試験並びに測定方法は下記の通りである。
　【００１９】
（１）ドット濃度
　カラーインクジェットプリンター（ＩＯ−７２５：シャープ株式会社製の商品名）を用いて印字した後、コニカマイクロデンシトメーターによりドットの濃度を測定した。
　【００２０】
（２）ベタ部記録濃度
　モノクロインクジェットプリンター（ＩＪＫ−１１２ＩＩＣｕｓｔｏｍ：チノン株式会社製の商品名）を用いてベタ印字をした後、マクベス濃度計により印字部の濃度を測定した。尚、塩の後に示した括弧内のｐＫａの値は、塩となる前の酸のｐＫａの値である。
　【００２１】
　【００２２】
　【００２３】
実施例１．
　合成シリカ（ファインシールＸ−３７：徳山曹達株式会社製の商品名）１００重量部を水３５０重量部中に分散した液を、ポリビニルアルコール（ＰＶＡ１１７：クラレ株式会社製の商品名）３０重量部を水２７０重量部に溶解した溶液に混合した。得られた液に、更に印字部の耐水性付与剤としてポリジメチルアミノエチルメタクリレート塩酸塩の２０重量％水溶液５０重量部とリン酸二水素ナトリウム（ｐＫａ２．１５）の１０重量％水溶液１００重量部とを加え、インクジェット記録層用の塗工液を調製した。
　【００２４】
　得られた塗工液を坪量６４．０ｇ／ｍ２の一般上質紙にロールコートして本発明のインクジェット記録用シートを得た。この場合の塗工量は乾燥重量で２８．０ｇ／ｍ２であり、アルカリ金属塩の塗工量としては、１．９ｇ／ｍ２であった。得られたインクジェット記録用シートを用いて前記試験を行った。結果は表１に示した通りである。
　【００２５】
実施例２．
　合成シリカ（ファインシールＸ−３７：徳山曹達株式会社製の商品名）１００重量部を水３５０重量部に分散した液を、カゼイン（ラクチックカゼイン：ニュージーランド産の商品名）４０重量部を水２６０重量部に溶解した溶液に混合した。得られた液に、更に印字部の耐水性付与剤としてポリジメチルアミノエチルメタクリレート塩酸塩の２０重量％水溶液５０重量部とリン酸水素二ナトリウム（ｐＫａ７．２０）の１０重量％水溶液１００重量部とを加え、次いで離型剤としてステアリン酸カルシウム２重量部を添加し、インクジェット記録層用の塗工液を調製した。
　【００２６】
　得られた塗工液を坪量６４．０ｇ／ｍ２のコート原紙にロールコートし、次いで蟻酸カルシウムの１０重量％水溶液を塗工して凝固処理し、塗布シートを得た。得られた塗布シートを、塗工層が湿潤状態にあるうちに１００℃に加熱されたキャストドラムの鏡面に圧着して乾燥し、本発明のインクジェット記録用シートを得た。この場合の塗工量は乾燥重量で１９．０ｇ／ｍ２であり、アルカリ金属塩の塗工量としては、１．２ｇ／ｍ２であった。得られたインクジェット記録用シートを用いて前記試験を行った。結果は表１に示した通りである。
　【００２７】
　【００２８】
　【００２９】
　【００３０】
比較例
１．
　リン酸二水素ナトリウム１０重量％水溶液１００重量部に代えて、水４０重量部を添加した他は実施例
１
　【００３１】
比較例
２．
　リン酸水素二ナトリウムに代えて、硫酸ナトリウム（ｐＫａ：１．９２）を使用した他は実施例
２
　【００３２】
　【表１】